(57)【要約】      （修正有）【課題】ワンプッシュで針の出し入れができるコンパスに関し、さらに詳しくは、同じ動作を繰り返すだけで針の出し入れを行い得るようにしたコンパスを提供する。【解決手段】左右２つの脚部１，１のうちの一方の脚部１外側部に先細り状の針ホルダ２を有し、この針ホルダ２に内筒部材３を嵌め込み、内筒部材３に針４を保持した針保持体５を針ホルダ２の先端付近に達するように嵌装する。さらに、内筒部材３に回転体６、ノックピン７を順次嵌装するとともに、針保持体５の外周であって針保持体５の鍔部分５ａと針ホルダ２先端付近の内側段部２ａとの間にコイルバネ８を介装する。【選択図】図２
0003191876.tif 000002
【実用新案登録請求の範囲】
【請求項１】
左右２つの脚部のうちの一方の脚部外側部に先細り状の針ホルダを有し、この針ホルダに内筒部材を嵌め込み、該内筒部材に針を保持した針保持体を針ホルダの先端付近に達するように嵌装し、さらに、回転体、ノックピンを順次嵌装するとともに、前記針保持体の外周であって当該針保持体の鍔部分と前記針ホルダ先端付近の内側段部との間にコイルバネを介装したことを特徴とするコンパス。
【請求項２】
ノックピンに、上下方向にスライドさせ得るキャップを上方から装着したことを特徴とする請求項１記載のコンパス。
【請求項３】
内筒部材の中央部の内周面に所定長さの複数のガイド溝を円周方向に等分割して配設し、各ガイド溝に嵌まり込む複数の外周突起を有するノックピンが内筒部材内で上下動するようにしたことを特徴とする請求項１記載のコンパス。
【請求項４】
各ガイド溝のうち１つ置きのガイド溝の内周面に、下端より上方の位置において傾斜段部が設けられ、回転体の上部には、円周方向にノックピンの外周突起に対応するごとく複数の傾斜突部が形成され、前記ノックピンの外周突起とこの傾斜突部とが当接していてこの当接と、前記回転体がコイルバネで押されていることにより、この回転体に常に一方方向に回転する力が付与されていることを特徴とする請求項３記載のコンパス。
【考案の詳細な説明】
【技術分野】
【０００１】
本考案は、ワンプッシュで針の出し入れができるコンパスに関し、さらに詳しくは、同じ動作を繰り返すだけで針の出し入れを行い得るようにした画期的なものに関する。
【背景技術】
【０００２】
円を描く際の中心の支点となるコンパスの針が不使用時に出たままであると、鋭く尖った先が手や指に刺さったり、机その他の備品を傷付けるので、不使用時には引っ込んでいるのが好ましい。
【０００３】
それを可能ならしめるために、針を収納させ得る針ホルダに針の出し入れをするためのガイド溝を設け、このガイド溝から突出させてあるノブを操作して針の出し入れを行うようにしたものが提案されている（例えば、特許文献１、特許文献２参照）。
【０００４】
また、収納筒内に挿入したノック部材を押すことにより針を出すことができ、収納筒から突出させてある爪部分を押すことにより針を引っ込めるようにしたものもある（例えば、特許文献３参照）。
【先行技術文献】
【特許文献】
【０００５】
【特許文献１】特開平１１−２４０２９３号公報（図１、図２等）
【０００６】
【特許文献２】実願昭６３−０２８１３８号（実開平０１−１３１５９１号）のマイクロフィルム（第２図、第５図）
【０００７】
【特許文献３】登録実用新案第３１８４８４４号公報（図１等）
【考案の概要】
【考案が解決しようとする課題】
【０００８】
特許文献１，２に示すものは、いずれも針ホルダにガイド溝を有する形式のものであって、針を突出させるに当っては、このガイド溝から突出させてあるノブを押してずらす操作が必要である。また、特許文献３に示すものも含めて、針の出し入れをするに当っては、ノブあるいはノック部材を押す操作とノブをガイド溝に戻す操作やノック部材を旧位置に戻すための操作を別途必要とするので、針の出し入れの操作が煩雑になると思われる。
【０００９】
また、特許文献１の場合には、針とこの針を保持するホルダとの間にかなりの隙間を有しているので、針にがたつきが生じやすく、針が安定しにくいと思われる。さらに、針が針ホルダから長く突出しているので、長くて鋭く尖った先で手や指を突き刺したり、机その他の備品を傷付ける場合もある。
一方、特許文献３の場合には、特許文献１の場合のような隙間（針とこの針を保持する収納筒先端部分との間の隙間）はほとんどないように思われるが、収納筒先端部分における針保持面の面積があまり大きくないので、針が固定されにくく、これまた針が安定しにくいと思われる。
【００１０】
本考案は、これらの点を改善するとともに、同じ動作を繰り返すだけで針の出し入れを行い得るようにした画期的なものである。
【課題を解決するための手段】
【００１１】
上記目的を達成するために、本考案では、左右２つの脚部のうちの一方の脚部外側部に先細り状の針ホルダを有し、この針ホルダに内筒部材を嵌め込み、該内筒部材に針を保持した針保持体を針ホルダの先端付近に達するように嵌装し、さらに、回転体、ノックピンを順次嵌装するとともに、前記針保持体の外周であって当該針保持体の鍔部分と前記針ホルダ先端付近の内側段部との間にコイルバネを介装したものとしてある。このコンパスによれば、従来の場合とは異なり、ノックピンをプッシュするという同じ動作を繰り返すだけで針の出し入れを行うことができるので、その操作が極めて簡単である。
【００１２】
また、針の周囲を保持している針保持体と針ホルダの先端内周面との接触面積を大きくできるので、針ががたつきにくく、針を安定して保持・固定できるという特長がある。さらに、針を比較的短くすることができるので、安全である。
【００１３】
ノックピンに、上下方向にスライドさせ得るキャップを上方から装着してあることが好ましい。このようにした場合には、キャップをプッシュするだけでノックピンを簡単に作動させることができる。キャップを透明とした場合には、この透明のキャップを通してノックピンの上端部分が見えるので、意匠的にも優れたものとなる。
【００１４】
内筒部材の中央部の内周面に所定長さの複数のガイド溝を円周方向に等分割して配設し、各ガイド溝に嵌まり込む複数の外周突起を有するノックピンが内筒部材内で上下動するようにしておくことが好ましい。このようにした場合には、ノックピンを内筒部材の中央部の内周面に形成されているガイド溝に沿って安定して上下動させることができるので、ノックピンやその他の構成部材が損傷するのを防止することができ、コンパスの寿命拡大に繋がる。
【００１５】
各ガイド溝のうち１つ置きのガイド溝の内周面に、下端より上方の位置において傾斜段部が設けられ、回転体の上部には、円周方向にノックピンの外周突起に対応するごとく複数の傾斜突部が形成され、前記ノックピンの外周突起とこの傾斜突部とが当接していてこの当接と、前記回転体がコイルバネで押されていることにより、この回転体に常に一方方向に回転する力が付与されているようにすることが好ましい。
【００１６】
このようにすることにより、ノックピンをプッシュするという同じ動作を繰り返すだけで、前記ノックピンの各外周突起が各ガイド溝の上端から下端にまで達し、回転体が前記各ガイド溝より下方に押し下げられると、一方方向に回転する力が付与されている回転体は内筒部材内で隣のガイド溝まで回転し、このガイド溝の内周面に形成されている傾斜段部に回転後の回転体の傾斜突部が係合するに至る。したがって、針は針ホルダの先端から突出した状態に保持される。
【００１７】
再度キャップをプッシュすると、先程の場合と同様に、回転体が回転してこの回転体の傾斜突部は次のガイド溝まで回転するが、このガイド溝の内周面には傾斜段部が形成されていないから、前記傾斜突部とともにノックピンの外周突起がこのガイド溝の上端にまで達し、針ホルダの先端から突出していた針は針ホルダ内に収納される。
【００１８】
このように、ノックピンをプッシュするという同じ動作を繰り返すだけで針の出し入れを行うことができるので、針の出し入れを極めて簡単に行うことができるのみならず、針ホルダの先端から針が突出した状態と針ホルダ内に針が収納された状態を保持できる。
【考案の効果】
【００１９】
請求項１記載の考案によれば、従来の場合とは異なり、ノックピンをプッシュするという同じ動作を繰り返すだけで針の出し入れを行うことができるので、その操作が極めて簡単である。また、針の周囲を保持している針保持体と針ホルダの先端内周面との接触面積を大きくできるので、針ががたつきにくく、針を安定して保持・固定できるという特長がある。さらに、針を比較的短くすることができるので、安全である。
【００２０】
請求項２記載の考案によれば、キャップをプッシュするだけでノックピンを簡単に作動させることができる。キャップを透明とした場合には、この透明のキャップを通してノックピンの上端部分が見えるので、意匠的にも優れたものとなる。
【００２１】
請求項３記載の考案によれば、ノックピンを内筒部材の中央部の内周面に形成されているガイド溝に沿って安定して上下動させることができるので、ノックピンやその他の構成部材が損傷するのを防止することができ、コンパスの寿命拡大に繋がる。
【００２２】
請求項４記載の考案によれば、ノックピンをプッシュするという同じ動作を繰り返すだけで、針の出し入れを極めて簡単に行うことができるのみならず、針ホルダの先端から針が突出した状態と針ホルダ内に針が収納された状態を保持できる。
【図面の簡単な説明】
【００２３】
【図１】鉛筆を取り付けることができる形式の本考案によるコンパスの一例を示す斜視図で、針ホルダの先端から針が突出している状態を示す。
【図２】その一部を拡大して示す断面図で、針ホルダ内に針が収納されている状態を示す。
【図３】鉛筆を取り付けた状態を示す全体の断面図で、針ホルダ内に針が収納されている状態を示す。
【図４】鉛筆を取り付けた状態を示す全体の断面図で、針ホルダの先端から針が突出している状態を示す。
【図５】針ホルダ内に針が収納されたり、針ホルダの先端から針が突出する作動状態を説明するための概略図である。
【図６】構成部材の一つである回転体の斜視図である。
【図７】同じく構成部材の一つであるノックピンの斜視図である。
【図８】鉛筆を取り付けるためのチャック形式の本考案によるコンパスの一例を示す正面図である。
【図９】シャープペンシルを取り付けることができる形式の本考案によるコンパスの一例を示す正面図である。
【図１０】芯を取り付けることができる形式の本考案によるコンパスの一例を示す正面図である。
【考案を実施するための形態】
【００２４】
本考案によるコンパスについて、図１〜図１０に基づいて詳細に説明する。本考案によるコンパスの基本形態は、左右２つの脚部１，１のうちの一方の脚部１外側部に先細り状の針ホルダ２を有し、この針ホルダ２に内筒部材３を嵌め込み、該内筒部材３に針４を保持した針保持体５を針ホルダ２の先端付近に達するように嵌装し、さらに、回転体６、ノックピン７を順次嵌装するとともに、前記針保持体５の外周であって当該針保持体５の鍔部分５ａと前記針ホルダ２先端付近の内側段部２ａとの間にコイルバネ８を介装したものである。なお、ここでは、針ホルダ２は脚部１と一体的に形成してある場合を例示する。
【００２５】
このコンパスによれば、従来の場合とは異なり、ノックピン７をプッシュするという同じ動作を繰り返すだけで針４の出し入れを行うことができるので、その操作が極めて簡単である。また、針４の周囲を保持している針保持体５と針ホルダ２の先端内周面との接触面積を大きくできるので、針４ががたつきにくく、針４を安定して保持・固定できるという特長がある。特に、針保持体５を樹脂製とした場合には、針ホルダ２がたとえ金属製であったとしても、長い樹脂部分で針４を安定して保持・固定できる。さらに、針４を比較的短くすることができるので、安全である。
【００２６】
ノックピン７の上端部には、上下方向にスライドさせ得るキャップ９が上方から装着されている。このようにした場合には、キャップ９を図３の状態から図４に示すようにプッシュするだけで、ノックピン７を簡単に作動させることができる。なお、図２〜図４に示すように、キャップ９の外周壁の一部には縦方向に切欠孔９ａが形成されており、キャップ９をプッシュしてスライドさせるのに支障がないようにしてある。キャップを透明とした場合には、この透明のキャップを通してノックピンの上端部分が見えるので、意匠的にも優れたものとなる。
【００２７】
内筒部材３の中央部の内周面には、図５の鎖線で示すように、所定長さの複数のガイド溝３ａが円周方向に等分割して配設されている。一方、ノックピン７の外周面には、図７に示すように、前記各ガイド溝３ａ，３ａに嵌まり込む複数の外周突起７ａ，７ａが形成されており、ノックピン７が内筒部材３内で前記各ガイド溝３ａ，３ａに沿って上下動することができるようにしてある。このようにした場合には、ノックピン７を内筒部材３の中央部の内周面に形成されているガイド溝３ａ，３ａに沿って安定して上下動させることができるので、ノックピン７やその下方に位置する回転体６、針保持体５ならびに内筒部材３などが損傷するのを防止することができ、コンパスの動きを必要とする部分の寿命拡大に繋がる。
【００２８】
図５に示すように、各ガイド溝３ａ，３ａのうち１つ置きのガイド溝３ａの内周面に、下端より上方の位置において傾斜段部３ａ’が設けられている。一方、前記回転体６の上部には、図６に示すように、円周方向にノックピン７の外周突起７ａ，７ａに対応するごとく複数の傾斜突部６ａ，６ａが形成され、図５に示すように、前記ノックピン７の外周突起７ａ，７ａとこの傾斜突部６ａ，６ａとが当接していてこの当接と、前記回転体６がコイルバネ８で押されていることにより、この回転体６には常に一方方向（図５の矢印方向）に回転する力が付与されている。
【００２９】
したがって、ノックピン７を図５の矢印で示すようにプッシュするだけで、前記ノックピン７の各外周突起７ａ，７ａが各ガイド溝３ａ，３ａの上端から下端にまで達し、回転体６が前記各ガイド溝３ａ，３ａより下方に押し下げられると、一方方向（図５の矢印方向）に回転する力が付与されている回転体６は同図矢印で示すように内筒部材３内で隣のガイド溝３ａまで回転し、このガイド溝３ａの内周面に形成されている傾斜段部３ａ’に回転後の回転体６の傾斜突部６ａが係合するに至る。したがって、針４は針ホルダ２の先端から突出した状態に保持される。
【００３０】
再度キャップ９をプッシュすると、先程の場合と同様に、回転体６が図５の矢印方向に回転してこの回転体６の傾斜突部６ａは次のガイド溝３ａまで回転するが、このガイド溝３ａの内周面には傾斜段部３ａ’が形成されていないから、前記傾斜突部６ａとともにノックピン７の外周突起７ａがこのガイド溝３ａの上端にまで達し、針ホルダ２の先端から突出していた針４は針ホルダ２内に収納される。
【００３１】
このように、ノックピン７をプッシュするという同じ動作を繰り返すだけで、針４の出し入れを極めて簡単に行うことができるのみならず、針ホルダ２の先端から針４が突出した状態と針ホルダ２内に針４が収納された状態を保持できる。針ホルダ２の先端から針４が突出した状態とすることにより、円を描く際の中心の支点とすることができる。逆に、針ホルダ２内に針４が収納された状態とすることにより、不使用時においても鋭く尖った針４の先が手や指に刺さったり、机その他の備品を傷付けることを回避できる。
【００３２】
図１、図３、図４には、鉛筆を取り付けることができる形式のコンパスに本考案を適用した場合を例示する。この形式のコンパスでは、鉛筆ホルダＢに差し込んだ鉛筆Ａを押圧部材Ｃで押えて固定ねじＤで固定することにより、鉛筆Ａを保持できる。
【００３３】
また、図８には、チャックＥにより鉛筆Ａを掴むことができる形式のコンパスに本考案を適用した場合を例示する。この形式のコンパスでは、チャックＥにより鉛筆Ａを掴んで固定ねじＦで締め付けることにより、鉛筆Ａを保持できる。
【００３４】
また、図９には、シャープペンシルＧをホルダＨで保持することができる形式のコンパスに本考案を適用した場合を例示する。この形式のコンパスでは、ホルダＨでシャープペンシルＧを保持できる。
【００３５】
さらに、図１０には、芯を取り付けることができる形式のコンパスに本考案を適用した場合を例示する。この形式のコンパスでは、芯ホルダＩをねじＪで締め付けることにより、芯ホルダＩに差し込んだ芯Ｋを保持できる。
【産業上の利用可能性】
【００３６】
このように、本考案は様々な形式のコンパスに、すなわち、鉛筆Ａを保持し得る鉛筆ホルダＢを有するコンパス、鉛筆Ａを掴むことができるチャックＥを有するコンパス、シャープペンシルＧを保持し得るホルダＨを有するコンパス、芯Ｋを保持し得る芯ホルダＩを有するコンパスなどに広く適用することができる。
【符号の説明】
【００３７】
１…脚部、２…針ホルダ、２ａ…内側段部、３…内筒部材、３ａ…ガイド溝、３ａ’…傾斜段部、４…針、５…針保持体、５ａ…鍔部分、６…回転体、６ａ…傾斜突部、７…ノックピン、７ａ…外周突起、８…コイルバネ、９…キャップ、Ａ…鉛筆、Ｅ…チャック、Ｇ…シャープペンシル、Ｋ…芯。
【図１】
0003191876.tif 000003
【図２】
0003191876.tif 000004
【図３】
0003191876.tif 000005
【図４】
0003191876.tif 000006
【図５】
0003191876.tif 000007
【図６】
0003191876.tif 000008
【図７】
0003191876.tif 000009
【図８】
0003191876.tif 000010
【図９】
0003191876.tif 000011
【図１０】
0003191876.tif 000012